(57)【要約】【課題】低価格で耐熱性を高めた圧縮機用モータを提供する。【解決手段】圧縮機用モータ(21)において、ステータ(21a)のスロット(21c)内には、該スロット(21c)内に配置された巻線をその周囲と絶縁するスロット内絶縁紙が配置される。また、ステータ(21a)の上方には巻線(60U)、(60V)、(60W)のコイルエンド部(70)が配置され、その巻線(60U)、(60V)、(60W)間には、それ等間を絶縁する相間絶縁紙(68)、(69)が配置される。上記相間絶縁紙(68)、(69)の耐熱等級は、上記スロット内絶縁紙の耐熱等級よりも高く設定される。【選択図】図２
2015096013.tif 000002
【特許請求の範囲】
【請求項１】
ステータ(21a)に設けた複数のスロット(21c)間に複数の巻線(60U、60V、60W、80、81)が巻回された圧縮機用モータ(21、22)であって、
上記複数のスロット(21c)の各々の内部には、該スロット(21c)内の巻線をその周囲と絶縁するスロット絶縁紙(65、66、67)が配置され、
上記ステータ(21a)のコイルエンド部(70、79)には、上記巻線同士(60U、60V、60W、80、81)間を絶縁する相間絶縁紙(68、69、82)が配置され、
上記相間絶縁紙(68、69、82)は、上記スロット絶縁紙(65、66、67)の耐熱等級よりも高い耐熱等級の絶縁紙で構成される
ことを特徴とする圧縮機用モータ。
【請求項２】
上記請求項１記載の圧縮機用モータにおいて、
上記相間絶縁紙(68、69、82)はＦ種材料で構成され、上記スロット絶縁紙(65、66、67)はＥ種材料で構成される
ことを特徴とする圧縮機用モータ。
【請求項３】
上記請求項１又は２記載の圧縮機用モータ(21、22)と、
上記圧縮機用モータ(21、22)により駆動されて冷媒を圧縮する圧縮機構(30)とを備えた
ことを特徴とする圧縮機。
【請求項４】
上記請求項３記載の圧縮機において、
圧縮機はスクロール型である
ことを特徴とする圧縮機。
【請求項５】
上記請求項４記載の圧縮機において、
上記冷媒は、Ｒ３２単一冷媒又はＲ３２リッチ混合冷媒である
ことを特徴とする圧縮機。
【発明の詳細な説明】
【技術分野】
【０００１】
本発明は圧縮機用モータに関し、特に、運転時の温度上昇に対する耐熱性の向上対策に関する。尚、圧縮機用モータについてはインダクションの三相と単相、インバータ用では例えばＩＰＭモータやＳＰＭモータがあるが、以下の説明では全てのモータについての説明は省略し、インダクションの三相モータを例に説明する。
【背景技術】
【０００２】
従来、例えば空気調和装置などの冷凍装置に備える圧縮機には、三相モータが備えられ、この三相モータにより圧縮機構を駆動して、冷媒を圧縮機構の圧縮室に吸入し、圧縮して、外部に吐出する。
【０００３】
ところで、圧縮機において、冷媒にＲ３２単一冷媒やＲ３２リッチ混合冷媒(例えば、Ｒ３２／Ｒ１２５混合冷媒でＲ３２を７５質量％以上含む混合冷媒)などを使用すると、Ｒ２２などの冷媒を使用するよりもＣＯＰ(成績係数)を高めることが可能になる。また、Ｒ３２単一冷媒又はＲ３２リッチ混合冷媒はＲ２２などよりも冷凍効果が大きく、同一能力を得るために必要な冷媒循環量が少なくてもよいため、Ｒ２２などを使用する場合に比べて省冷媒化を図ることも可能になる。
【０００４】
一方、冷媒にＲ３２やその混合冷媒を用いると、従来のＲ２２などと比較して、その物性上、圧縮機の吐出温度が上昇する。このため、圧縮機が高圧ドーム型である場合などでは、吐出ガスの高温雰囲気に晒されている三相モータの温度も上昇することになる。このような技術は例えば特許文献1に開示されている。
【先行技術文献】
【特許文献】
【０００５】
【特許文献１】特開２００２−２７２０４３号公報
【発明の概要】
【発明が解決しようとする課題】
【０００６】
ところで、圧縮機に備える三相モータの温度、特にステータの巻線部分での温度が上昇すると、このステータの部位に配置される絶縁紙の耐熱寿命が減少し、絶縁紙が劣化し易くなるため、これ等絶縁紙を耐熱等級の高いものに選定しておく必要が生じる。
【０００７】
しかしながら、耐熱等級の高い絶縁紙は高額であり、また一般的にその性質は硬くなり、配置作業時に割れ等の不良が生じ易い欠点がある。
【０００８】
そこで、本発明者は、Ｒ３２単一冷媒やＲ３２リッチ混合冷媒の高温雰囲気下で圧縮機の三相モータのステータの巻線部分について温度上昇を詳細に計測したところ、ステータのコイルエンド部の温度上昇が大きく、ステータのスロット内では温度上昇はさほど大きくないことが判った。その結果、絶縁紙のなかでも、ステータのコイルエンド部に配置される三相の巻線同士間を絶縁する相間絶縁紙の温度上昇が大きく、一方、ステータのスロット内に配置されるスロット内絶縁紙では温度上昇は大きくなくて従来の耐熱等級のものでも十分その耐熱作用と寿命時間を満足することが判った。
【０００９】
本発明は、このような問題点に鑑みてなされたものであり、その目的は、圧縮機用モータ全体の耐熱性を低価格でもって高めて、Ｒ３２冷媒を使用する圧縮機に備えられた場合にも高温雰囲気に良好に対応できるようにすることにある。
【課題を解決するための手段】
【００１０】
上記目的を達成するため、第１の発明の圧縮機用モータは、ステータ(21a)に設けた複数のスロット(21c)間に複数の巻線(60U、60V、60W、80、81)が巻回された圧縮機用モータ(21、22)であって、上記複数のスロット(21c)の各々の内部には、該スロット(21c)内の巻線をその周囲と絶縁するスロット絶縁紙(65、66、67)が配置され、上記ステータ(21a)のコイルエンド部(70、79)には、上記巻線同士(60U、60V、60W、80、81)間を絶縁する相間絶縁紙(68、69、82)が配置され、上記相間絶縁紙(68、69、82)は、上記スロット絶縁紙(65、66、67)の耐熱等級よりも高い耐熱等級の絶縁紙で構成されることを特徴とする。
【００１１】
第２の発明は、上記圧縮機用モータにおいて、上記相間絶縁紙(68、69、82)はＦ種材料で構成され、上記スロット絶縁紙(65、66、67)はＥ種材料で構成されることを特徴とする。
【００１２】
従って、上記第１及び第２の発明の圧縮機用モータ(21)では、モータ巻線の絶縁紙のうち相間絶縁紙とスロット内絶縁紙とで耐熱等級を変えて、温度上昇が大きい相間絶縁紙の耐熱等級を、温度上昇のさほど大きくないスロット内絶縁紙の耐熱等級よりも高く設定したので、ステータのコイルエンド部での巻線の相間絶縁作用と相間絶縁紙の寿命時間を十分満足しながら、スロット内絶縁紙をその耐熱等級を過度に高めることなく低価格で構成することが可能である。
【００１３】
第３の発明の圧縮機は、上記圧縮機用モータ(21、22)と、上記圧縮機用モータ(21、22)により駆動されて冷媒を圧縮する圧縮機構(30)とを備えたことを特徴とする。
【００１４】
第４の発明は、上記圧縮機において、圧縮機はスクロール型であることを特徴とする。
【００１５】
第５の発明は、上記圧縮機において、上記冷媒は、Ｒ３２単一冷媒又はＲ３２リッチ混合冷媒であることを特徴とする。
【００１６】
上記第３〜第５の発明の圧縮機では、Ｒ３２単一冷媒又はＲ３２リッチ混合冷媒を使用する圧縮機の圧縮機構駆動用のモータに上記圧縮機用モータが使用されるので、その高温の吐出ガスでもって圧縮機用モータのステータのコイルエンド部の温度上昇が大きくなっても、そのコイルエンド部に配置される相間絶縁紙の相間絶縁作用と相間絶縁紙の寿命時間を十分満足しながら、スロット内の絶縁を低価格のスロット絶縁内紙で有効に確保することが可能である。
【発明の効果】
【００１７】
上記第１及び第２の発明の圧縮機用モータによれば、圧縮機用モータの巻線のコイルエンド部の相間絶縁紙とスロット内絶縁紙とで耐熱等級を変えたので、コイルエンド部の大きな温度上昇に対しても相間絶縁紙の十分な耐熱寿命を確保できると共に、スロット内絶縁紙の高価格化を抑えて、圧縮機用モータ全体の低価格化を図ることが可能である。
【００１８】
また、第３〜第５の発明によれば、Ｒ３２単一冷媒やＲ３２リッチ混合冷媒を使用する圧縮機に上記圧縮機用モータを使用するので、低価格化を図りつつ圧縮機の耐熱性能を高めることが可能である。
【図面の簡単な説明】
【００１９】
【図１】図１は第１の実施形態に係る圧縮機用モータを内蔵する圧縮機の全体構成を示す断面図である。
【図２】図２は同圧縮機用モータのステータのコイルエンド部の様子を示す平面図である。
【図３】図３は同ステータのスロット内への巻線の配置の様子を示す図である。
【図４】図４は同ステータのコイルエンド部の要部の縦断面図である。
【図５】図５は本発明を単相モータに適用した場合のステータのコイルエンド部の様子を示す平面図である。
【発明を実施するための形態】
【００２０】
以下、本発明の実施形態を図面に基づいて詳細に説明する。尚、以下の実施形態は、本質的に好ましい例示であって、本発明、その適用物、又はその用途の範囲を制限することを意図するものではない。
【００２１】
(実施形態)
図１は、本発明の実施形態に係るスクロール圧縮機の構成を示す縦断面図である。スクロール圧縮機(10)は、例えば、空気調和装置で冷媒圧縮式冷凍サイクルを行う冷媒回路に接続されるものである。この冷媒回路は、Ｒ３２の単一冷媒（以下、Ｒ３２単一冷媒という）を冷媒とするか、又は、例えば７５質量％以上で且つ１００質量％未満のＲ３２とＲ１２５との混合冷媒（Ｒ３２組成リッチの混合冷媒、以下、Ｒ３２リッチ混合冷媒という）を冷媒としている。
【００２２】
上記スクロール圧縮機(10)は、ケーシング(11)と、回転式の圧縮機構(30)と、圧縮機構(30)を回転駆動する駆動機構(20)とを備えている。
【００２３】
ケーシング(11)は、両端が閉塞された縦長円筒状の密閉容器で構成されており、円筒状の胴部(12)と、胴部(12)の上端側に固定された上部鏡板(13)と、胴部(12)の下端側に固定された下部鏡板(14)とを備えている。
【００２４】
ケーシング(11)の内部は、ケーシング(11)の内周面に接合されたハウジング(50)によって上下に区画されている。ハウジング(50)よりも上側の空間が上部空間部(15)を構成し、ハウジング(50)よりも下側の空間が下部空間部(16)を構成する。
【００２５】
ケーシング(11)における下部空間部(16)の底部には、スクロール圧縮機(10)の摺動部分を潤滑する油が貯留される油溜まり部(17)が設けられている。
【００２６】
ケーシング(11)には、吸入管(18)及び吐出管(19)が取り付けられている。この吸入管(18)の一端部は、吸入管継手(47)に接続されている。吐出管(19)は、胴部(12)を貫通している。この吐出管(19)の端部は、ケーシング(11)の下部空間部(16)に開口している。
【００２７】
駆動機構(20)は、圧縮機用モータ(21)と、駆動軸(23)とを備えている。圧縮機用モータ(21)は、例えばＩＰＭモータ（Interior Permanent Magnetモータ）で構成され、ケーシング(11)の下部空間部(16)に収容されている。圧縮機用モータ(21)は、円筒状に形成されたステータ(21a)及びロータ(21b)を備えている。ステータ(21a)は、ケーシング(11)の胴部(12)に固定されている。ステータ(21a)の中空部には、ロータ(21b)が配置されている。該ロータ(21b)の中空部には、ロータ(21b)を貫通するように駆動軸(23)が固定されており、ロータ(21b)と駆動軸(23)が一体で回転するようになっている。この圧縮機用モータ(21)の具体的構成については後述する。
【００２８】
駆動軸(23)は、上下方向に延びる主軸部(24)と、主軸部(24)の上側に設けられた偏心部(25)とを有し、それらが一体的に形成されている。偏心部(25)は、主軸部(24)の最大径よりも小径に形成されており、偏心部(25)の軸心は、主軸部(24)の軸心に対して所定距離だけ偏心している。駆動軸(23)における主軸部(24)の下端部分(下部主軸部(26))は、ケーシング(11)における胴部(12)の下端付近に固定された下部軸受部(28)に回転自在に支持されている。また、主軸部(24)の上端部分は、ハウジング(50)が有する軸受部(53)に回転自在に支持されている。駆動軸(23)の内部には、軸心方向に沿ってのびる給油路(27)が形成されている。
【００２９】
また、駆動軸(23)の下端部には、油を吸い上げるための吸入部材としての吸入ノズル(61)が設けられている。吸入ノズル(61)の吸入口(61a)は、ケーシング(11)の油溜まり部(17)に開口している。吸入ノズル(61)の吐出口は、駆動軸(23)の給油路(27)に連通するように接続されている。吸入ノズル(61)によって油溜まり部(17)から吸い上げられた油は、給油路(27)を流通してスクロール圧縮機(10)の摺動部分へ供給される。
【００３０】
圧縮機構(30)は、可動スクロール(35)と、固定スクロール(40)と、ハウジング(50)とを備えた、いわゆるスクロール型の圧縮機構である。ハウジング(50)及び固定スクロール(40)は、互いにボルトで締結されており、その間に可動スクロール(35)が収容されている。
【００３１】
可動スクロール(35)は、略円板状の可動側鏡板部(36)を有している。この可動側鏡板部(36)の上面に可動側ラップ(37)が立設している。この可動側ラップ(37)は、可動側鏡板部(36)の中心付近から径方向外方へ渦巻き状に延びる壁体である。また、可動側鏡板部(36)の下面にボス部(軸受部)(38)が突設されている。
【００３２】
固定スクロール(40)は、略円板状の固定側鏡板部(41)を有している。この固定側鏡板部(41)の下面に固定側ラップ(42)が立設している。この固定側ラップ(42)は、固定側鏡板部(41)の中心付近から径方向外方へ渦巻き状に延び、且つ可動スクロール(35)の可動側ラップ(37)と噛み合うように形成された壁体である。この固定側ラップ(42)と可動側ラップ(37)との間に圧縮室(31)が形成されている。
【００３３】
固定スクロール(40)は、固定側ラップ(42)の最外周壁から径方向外方へ連続する外縁部(43)を有している。この外縁部(43)の下端面がハウジング(50)の上端面に固定される。また、この外縁部(43)には、上方へ開口する開口部(44)が形成されている。そして、この開口部(44)の内部と圧縮室(31)の最外周端とを連通する吸入ポート(34)が外縁部(43)に形成されている。この吸入ポート(34)は、圧縮室(31)の吸入位置に開口している。なお、この外縁部(43)の開口部(44)には、上述した吸入管継手(47)が接続されている。
【００３４】
また、固定スクロール(40)の固定側鏡板部(41)には、固定側ラップ(42)の中心付近に位置して上下方向へ貫通する吐出ポート(32)が形成されている。この吐出ポート(32)の下端は、圧縮室(31)の吐出位置に開口している。吐出ポート(32)の上端は、固定スクロール(40)の上部に区画された吐出室(46)に開口している。また、図示しないが、この吐出室(46)は、ケーシング(11)の下部空間部(16)に連通している。
【００３５】
ハウジング(50)は、略円筒状に形成されている。ハウジング(50)の外周面は、その下側部分に対して上側部分が大径になるように形成されている。そして、この外周面の上側部分がケーシング(11)の内周面に固定されている。
【００３６】
ハウジング(50)の中空部には、駆動軸(23)が挿入されている。また、この中空部は、中空部の下側部分に対して上側部分が大径になるように形成されている。中空部の下側部分に軸受部(53)が形成されている。この軸受部(53)が駆動軸(23)における主軸部(24)の上端部分を回転支持する。また、中空部の上側部分はシール部材(55)に仕切られて背圧空間(54)を構成する。背圧空間(54)は可動スクロール(35)の背面に面している。ハウジング(50)の上面と可動スクロール(35)の背面との間には、上記シール部材(55)が嵌合されている。また、この背圧空間(54)には、可動スクロール(35)のボス部(38)が位置している。このボス部(38)には、軸受部(53)の上端から突出した駆動軸(23)の偏心部(25)が係合していて、圧縮機構(20)が駆動軸(23)で回転駆動される。
【００３７】
＜圧縮機用モータの構成＞
次に、上記圧縮機用モータ(21)の具体的構成を説明する。
【００３８】
図２及び図３は、上記圧縮機用モータ(21)の三相巻線タイプの具体的構成を示す。同図において、中空円筒状のステータ(21a)の内周縁には、複数のスロット(21c)が駆動軸(23)の軸方向にステータ(21a)の上端から下端に亘って形成されている。これ等のスロット(21c)には、各々、三相巻線が巻回される。この三相巻線の巻型は、例えば分布巻きの短節巻きの２層巻きである。
【００３９】
図３は、上記軸方向に延びるスロット(21c)に配置される巻線の様子を示す。同図において、スロット(21c)内には巻線(60U)、(60V)が配置される。一方の巻線(60U)は例えばＵ相の巻線であり、他方の巻線(60V)は例えばＶ相の巻線であり、１スロット(21c)内に２相の巻線が図中上下に２段に配置されている。スロット(21c)内には、上記上段及び下段の巻線(60U)、(60V)とスロット(21c)との間を絶縁するスロット絶縁紙(65)が配置されると共に、上段の巻線(60U)と下段の巻線(60V)との間には、この両巻線(60U)、(60V)間を絶縁するウェッジ絶縁紙(66)が配置され、更に上段の巻線(60U)とスロット(21c)上部との間には、この両者間を絶縁するウェッジ絶縁紙(67)が配置される。上記スロット絶縁紙(65)及び上記２種のウェッジ絶縁紙(66)、(67)により、スロット内絶縁紙を構成している。
【００４０】
また、図２に示したように、ステータ(21a)の上方部分には、ステータ(21a)の外周縁に沿って三相巻線(60U)、(60V)、(60W)のコイルエンド部(70)が配置されている。このコイルエンド部(70)では、複数のスロット(21c)の上方にＷ相の巻線(60W)が配置される。また、図４にも示したように、そのＷ相の巻線(60W)の外周側にＶ相の巻線(60V)が配置され、その更に外周側にＵ相の巻線(60U)が配置されている。上記Ｗ相の巻線(60W)とＶ相の巻線(60V)との間には相間絶縁紙(68)が配置され、Ｖ相の巻線(60V)とＵ相の巻線(60U)との間には相間絶縁紙(69)が配置されている。
【００４１】
上記スロット内絶縁紙(スロット絶縁紙(65)及びウェッジ絶縁紙(66)、(67))は、ポリエチレンテレフタレート(ＰＥＴ)などのＥ種耐熱等級の絶縁紙で構成される。一方、上記相間絶縁紙(68)、(69)は、上記Ｅ種よりも耐熱等級が高い例えばポリエチレンナフタレート(ＰＥＮ)やポリフェニレンサルファイド(ＰＰＳ)などのＦ種耐熱等級の絶縁紙で構成される。尚、ＰＥＮやＰＰＳなどの相間絶縁紙(68)、(69)は、それ等の母材に強化材が混入された複合材料から形成しても良い。
【００４２】
＜本実施形態の効果＞
従って、本実施形態では、スクロール圧縮機(10)がＲ３２単一冷媒やＲ３２リッチ混合冷媒を使用する関係上、圧縮機構(30)で圧縮された高温の冷媒が吐出ポート(32)から吐出室(46)を経てケーシング(11)の下部空間部（吐出側空間）(16)に流入するので、その吐出側空間(16)の下部に位置するステータ(21a)の上方の三相巻線のコイルエンド部(70)は、上記流入した高温冷媒によって高温に晒された状態にある。一方、ステータ(21a)の各スロット(21c)の内部は、駆動軸(23)の軸方向に延びる構成上、上記吐出側空間(16)に流入した高温冷媒の影響をさほど受けず、Ｒ２２などの従来の冷媒を使用した場合のコイルエンド部(70)の温度とほぼ同温度である。
【００４３】
このような状況下において、上記三相巻線のコイルエンド部(70)に位置する２つの相間絶縁紙(68)、(69)は上記高温冷媒によって高温に晒されて高温になるものの、その耐熱等級がＦ種であって、スロット内絶縁紙(スロット絶縁紙(65)及びウェッジ絶縁紙(66)、(67))の耐熱等級のＥ種よりも高いので、スロット内絶縁紙(65)、(66)、(67)よりも高温に晒されても十分にその絶縁作用を奏し、長い寿命時間を確保できる。
【００４４】
一方、上記スロット(21c)内に位置するスロット内絶縁紙(65)、(66)、(67)は、上記高温冷媒による温度上昇はコイルエンド部(70)よりも小さい雰囲気で、従来の耐熱等級と同一のＥ種の耐熱等級の材料で構成されているので、従来と同様に良好な絶縁作用を奏し、長い寿命時間を確保できる。しかも、相間絶縁紙(68)、(69)のように耐熱等級をＦ種に上げる必要がないので、その分、低価格化が可能である。
【００４５】
更に、上記相間絶縁紙(68)、(69)を構成するＦ種の絶縁材料は、Ｅ種の耐熱材料に比べて一般的にその性質は硬くなり、挿入性が悪く、またその曲げ作業時に割れなどの不良を起し易い傾向があるが、その相間絶縁紙(68)、(69)は図２に示したようにコイルエンド部(70)に配置されてステータ(21a)の外周縁に沿って配置され、図３に示した小径のスロット(21c)の内部に配置されないので、コイルエンド部(70)への配置に際して割れなどの不良は生じ難い。
【００４６】
このように、本実施形態では、スクロール圧縮機(10)の三相モータ(21)の相間絶縁紙(68)、(69)及びスロット内絶縁紙(65)、(66)、(67)の耐熱寿命を長く確保しながら、低価格化を図って、圧縮機の耐熱性能を高められるので、Ｒ３２単一冷媒やＲ３２リッチ混合冷媒を使用する圧縮機を実用化することが可能になる。
【００４７】
(その他の実施形態)
本発明は、上記実施形態について、以下のような構成としてもよい。
【００４８】
上記実施形態では、図３においてスロット(21c)内に２相の巻線(60U)、(60V)を２段に配置した構成を例示したが、本発明はこれに限定されず、１相の巻線のみを配置する１相巻きとしても良い。また、巻線の巻型も、分布巻き、集中巻きを採用可能であるし、短節巻き、全節巻きを採用しても良い。
【００４９】
また、Ｆ種の絶縁材料としてＰＥＮやＰＰＳを例示したが、他のＦ種材料を採用しても良いし、Ｅ種の絶縁材料もＰＥＴを例示したが、他のＥ種材料を採用しても良い。更に、相間絶縁紙(68)、(69)をＦ種絶縁材料で構成し、スロット内絶縁紙(65)、(66)、(67)をＥ種絶縁材料で構成したが、圧縮機に使用する冷媒の種類や使用される温度に応じて、例えば相間絶縁紙(68)、(69)をＨ種絶縁材料で構成し、スロット内絶縁紙(65)、(66)、(67)をＦ種絶縁材料で構成しても良く、要は相間絶縁紙(68)、(69)の耐熱等級をスロット内絶縁紙(65)、(66)、(67)の耐熱等級よりも高く設定すれば良い。
【００５０】
更に、以上の説明では、三相巻線タイプの圧縮機用モータ(21)を例示して説明したが、本発明は、その他、単相タイプの圧縮機用モータにも同様に適用可能である。この場合には、図５に例示すように、単相巻線タイプの圧縮機用モータ(22)には、コイルエンド部(79)に運転用の主巻線(80)と始動用の補助巻線(81)とが備えられて、主巻線(80)に流れる電流とは位相が異なる電流を補助巻線(81)に流す構成となっており、この構成では、主巻線(80)と補助巻線(81)との間に相間絶縁紙(82)が配置されるので、この相間絶縁紙(82)とこの単相巻線タイプの圧縮機用モータ(22)のスロット絶縁紙（図示せず）との間に本願発明を適用する。
【００５１】
また、圧縮機用モータ(21,22)は、インダクションモータに限らず、ＩＰＭ（Interior Permanent Magnet）やＳＰＭモータ（Surface Permanent Magnetモータ）など、ステータの複数のスロット間に三相巻線を巻回して回転磁界を生成する種々の三相モータでも単相モータでも採用できる。
【００５２】
加えて、スクロール圧縮機(10)に使用する冷媒も、上記実施形態ではＲ３２単一冷媒やＲ３２リッチ混合冷媒を例示したが、本発明はこの冷媒に限定されない。
【００５３】
更に、圧縮機はスクロール型としたが、揺動ピストン型やロータリーピストン型など、他のタイプを採用しても良い。
【産業上の利用可能性】
【００５４】
以上説明したように、本発明は、低価格で耐熱性の向上を図った圧縮機用モータを提供できるので、Ｒ３２冷媒などを使用して吐出ガス温度が高温となる圧縮機に適用して、有用である。
【符号の説明】
【００５５】
１０              スクロール圧縮機
２１、２２        圧縮機用モータ
２１ａ            ステータ
２１ｂ            ロータ
２１ｃ            スロット
６０Ｕ            Ｕ相巻線
６０Ｙ            Ｖ相巻線
６０Ｗ            Ｗ相巻線
６５              スロット絶縁紙（スロット内絶縁紙）
６６、６７        ウェッジ絶縁紙（スロット内絶縁紙）
６８、６９、８２  相間絶縁紙
７０、７９        コイルエンド部
８０              主巻線
８１              補助巻線
【図１】
2015096013.tif 000003
【図２】
2015096013.tif 000004
【図３】
2015096013.tif 000005
【図４】
2015096013.tif 000006
【図５】
2015096013.tif 000007